(57)【要約】【課題】  ユーザの利便性を高めることができる接続装置を提供する。【解決手段】  接続装置１０は、携帯電話機２０と固定電話機３０との間に接続され、携帯電話機１０への着信を固定電話機３０に行わせるとともに、携帯電話機１０からの発信を固定電話機３０から行わせる機能を有する。接続装置１０は、着信端末切換信号の入力を受け付ける着信端末切換ボタン１７と、携帯電話機２０への着信中に着信端末切換ボタン１７によって着信端末切換信号の入力が受け付けられると、中継部１９に制御信号を出力し、携帯電話機２０と固定電話機３０との接続を切断することによって携帯電話機２０による通話を可能とするように中継部１９を制御する制御部１８と、携帯電話機２０と固定電話機３０とを物理的に接続するとともに、携帯電話機２０と固定電話機３０との間でやりとりされる信号を仲介する中継部１９とを備えて構成される。【選択図】  図２
2006094182.tif 000002
【特許請求の範囲】
【請求項１】
携帯電話機と電話機との間に接続され、前記携帯電話機への着信を前記電話機に行わせるとともに前記携帯電話機からの発信を前記電話機から行わせる接続装置において、
着信端末切換信号の入力を受け付ける入力手段と、
前記携帯電話機への着信中に前記入力手段によって前記着信端末切換信号の入力が受け付けられると、前記携帯電話機と前記電話機との接続を切断することによって前記携帯電話機による通話を可能とするように制御する制御手段と
を備えたことを特徴とする接続装置。
【請求項２】
携帯電話機と電話機との間に接続され、前記携帯電話機への着信を前記電話機に行わせるとともに前記携帯電話機からの発信を前記電話機から行わせる接続装置に接続される前記携帯電話機において、
着信端末切換信号の入力を受け付ける入力手段と、
前記接続装置に接続された状態での着信中に前記入力手段によって前記着信端末切換信号の入力が受け付けられると、前記電話機との接続を切断することによって通話を可能とするように制御する制御手段と
を備えたことを特徴とする携帯電話機。
【発明の詳細な説明】
【技術分野】
【０００１】
本発明は、携帯電話機と電話機との間に接続され、携帯電話機への着信を電話機に行わせるとともに携帯電話機からの発信を電話機から行わせる接続装置、及び当該接続装置に接続される携帯電話機に関するものである。
【背景技術】
【０００２】
携帯電話機と固定電話機との間に接続することによって、携帯電話機と固定電話機との間の信号の流れを制御する接続装置が知られている（特許文献１）。このような接続装置を用いることによって、携帯電話機への着信を固定電話機に行わせることができ、また、携帯電話機からの発信を固定電話機から行わせることができるようになる。
【特許文献１】特開平９−３１２７０４号公報
【発明の開示】
【発明が解決しようとする課題】
【０００３】
しかしながら、上記従来の技術には以下に示すような問題点があった。すなわち、上記従来の技術にかかる接続装置においては、接続装置を介して携帯電話機と固定電話機とが一旦接続されると、発信操作あるいは着信時のオフフック操作は、固定電話機においてのみ可能となり、携帯電話機においてはこれらの操作ができなくなってしまう。従って、着信時に、ユーザが携帯電話機の近くにいる場合であっても、当該ユーザはわざわざ固定電話機の設置された場所に移動してオフフック操作をしなければならないという不便を生じる。
【０００４】
そこで本発明は、上記問題点を解決し、ユーザの利便性を高めることができる接続装置及びこれに接続される携帯電話機を提供することを課題とする。
【課題を解決するための手段】
【０００５】
上記課題を解決するために、本発明の接続装置は、携帯電話機と電話機との間に接続され、上記携帯電話機への着信を上記電話機に行わせるとともに上記携帯電話機からの発信を上記電話機から行わせる接続装置であって、着信端末切換信号の入力を受け付ける入力手段と、上記携帯電話機への着信中に上記入力手段によって上記着信端末切換信号の入力が受け付けられると、上記携帯電話機と上記電話機との接続を切断することによって上記携帯電話機による通話を可能とするように制御する制御手段とを備えたことを特徴としている。
【０００６】
着信中に着信端末切換信号の入力が受け付けられると、携帯電話機と電話機との接続を切断し、携帯電話機による通話を可能とするように制御することで、ユーザは、携帯電話機でオフフック操作をすることもでき（着信端末切換信号入力時）、電話機でオフフック操作をすることもできる（着信端末切換信号非入力時）ようになる。
【０００７】
また、上記課題を解決するために、本発明の携帯電話機は、携帯電話機と電話機との間に接続され、上記携帯電話機への着信を上記電話機に行わせるとともに上記携帯電話機からの発信を上記電話機から行わせる接続装置に接続される上記携帯電話機であって、着信端末切換信号の入力を受け付ける入力手段と、上記接続装置に接続された状態での着信中に上記入力手段によって上記着信端末切換信号の入力が受け付けられると、上記電話機との接続を切断することによって通話を可能とするように制御する制御手段とを備えたことを特徴としている。
【０００８】
着信中に着信端末切換信号の入力が受け付けられると、電話機との接続を切断し、通話を可能とするように制御することで、ユーザは、携帯電話機でオフフック操作をすることもでき（着信端末切換信号入力時）、電話機でオフフック操作をすることもできる（着信端末切換信号非入力時）ようになる。
【発明の効果】
【０００９】
本発明の接続装置は、着信中に着信端末切換信号の入力が受け付けられると携帯電話機と電話機との接続を切断し、携帯電話機による通話を可能とするように制御することで、ユーザは、携帯電話機でオフフック操作をすることもでき（着信端末切換信号入力時）、電話機でオフフック操作をすることもできる（着信端末切換信号非入力時）ようになる。その結果、ユーザの利便性を高めることが可能となる。
【００１０】
また、本発明の携帯電話機は、着信中に着信端末切換信号の入力が受け付けられると電話機との接続を切断し、通話を可能とするように制御することで、ユーザは、携帯電話機でオフフック操作をすることもでき（着信端末切換信号入力時）、電話機でオフフック操作をすることもできる（着信端末切換信号非入力時）ようになる。その結果、ユーザの利便性を高めることが可能となる。
【発明を実施するための最良の形態】
【００１１】
本発明の実施形態にかかる接続装置について図面を参照して説明する。
【００１２】
まず、本実施形態にかかる接続装置の構成について説明する。図１は、本実施形態にかかる接続装置並びにこれに接続される固定電話機及び携帯電話機の外観図である。本実施形態の接続装置１０は、図１に示すように、物理的には、通信制御装置、電源装置（もしくは外部電源用コネクタ）、配線などをプラスチックケース１１に収容して構成される。接続装置１０は、ケーブル１２を介して固定電話機３０と接続されており、また、ケーブル１３及びコネクタ１４を介して携帯電話機２０と接続されている。
【００１３】
プラスチックケース１１には凹部１５が形成されており、接続装置２０に接続された携帯電話機２０を当該凹部１５に収容することができるようになっている。また、凹部１５には、ホルダ１６が設けられており、当該ホルダ１６に携帯電話機２０を挿入することで、携帯電話機２０を凹部１５に簡易に固定することができるようになっている。ここで、接続装置１０と携帯電話機２０とを接続するケーブル１３は、ユーザが携帯電話機２０をホルダ１６から取り出して利用できる程度の十分な長さを有している。
【００１４】
プラスチックケース１１には、さらに、着信端末切換ボタン１７が設けられている。
【００１５】
図２は、本実施形態にかかる接続装置のシステム構成図である。接続装置１０は、携帯電話機２０と固定電話機３０との間に接続され、携帯電話機２０への着信を固定電話機３０に行わせるとともに携帯電話機２０からの発信を固定電話機３０から行わせる機能を有し、通信端末切換ボタン１７（入力手段）と制御部１８（制御手段）と中継部１９とを備えて構成される。以下、各構成要素について詳細に説明する。
【００１６】
通信端末切換ボタン１７は、着信端末切換信号の入力を受け付ける。より具体的には、通信端末切換ボタン１７は、物理的には、押しボタンスイッチとして構成されており、当該押しボタンスイッチが押下されることにより、着信端末切換信号の入力が受け付けられる。
【００１７】
制御部１８は、携帯電話機２０への着信中に通信端末切換ボタン１７によって着信端末切換信号の入力が受け付けられると、中継部１９に制御信号を出力し、携帯電話機２０と電話機３０との接続を切断することによって携帯電話機２０による通話を可能とするように中継部１９を制御する。
【００１８】
中継部１９は、携帯電話機２０と固定電話機３０とを物理的に接続するとともに、携帯電話機２０と固定電話機３０との間でやりとりされる信号を（必要に応じてプロトコル変換等を行い）仲介する。より詳細には、中継部１９は、制御部１８から出力される上記制御信号を受信していないときは、携帯電話機２０から送信される着信通知信号、音声信号などを固定電話機３０に対して出力するとともに、固定電話機３０から送信されるオフフック信号、音声信号、オンフック信号などを携帯電話機２０に対して出力する。一方、中継部１９は、携帯電話機２０への着信中に制御部１８から上記制御信号を受信したときは、携帯電話機２０と固定電話機３０との接続を切断する。ここで、「切断」とは、物理的な接続を切断するものであっても良いし、信号の流れを切断するものであっても良い。その結果、携帯電話機２０から送信される着信通知信号は、固定電話機３０に対して出力されなくなる。
【００１９】
続いて、本実施形態にかかる接続装置の動作について説明する。図３は、本実施形態にかかる接続装置の動作を示すフローチャートである。
【００２０】
携帯電話機２０が接続装置１０に接続されている状態で、携帯電話機２０に着信があると、携帯電話機２０から接続装置１０に対して、着信通知信号が送信される。携帯電話機２０から送信された着信通知信号は、接続装置１０の中継部１９によって一旦受信され（Ｓ１２）、当該中継部１９から固定電話機３０に対して送信される（Ｓ１４）。
【００２１】
携帯電話機２０による着信中であって、接続装置１０の着信端末切換ボタン１７が押下されるまでは、固定電話機３０の着信音が鳴動するとともに、固定電話機３０でオフフックすることが可能となる。一方、この場合、携帯電話機２０の着信音は鳴動せず、携帯電話機２０でオフフックすることは不可能となる。
【００２２】
ここで、接続装置１０の着信端末切換ボタン１７が押下されると（Ｓ１６）、制御部１８から中継部１９に対して制御信号が出力され、携帯電話機２０と電話機３０との接続が切断される。その結果、接続装置１０から固定電話機３０に対する着信通知信号の送信も停止される（Ｓ１８）。固定電話機３０に対する着信通知信号の送信が停止されると、接続装置１０から携帯電話機２０に対してその旨が通知され、それ以降、携帯電話機２０の着信音が鳴動するとともに、携帯電話機２０でオフフックすることが可能となる。一方、この場合、固定電話機３０の着信音は鳴動せず、携帯電話機２０でオフフックすることは不可能となる。
【００２３】
続いて、本実施形態にかかる接続装置の作用及び効果について説明する。本実施形態にかかる接続装置１０は、当該接続装置１０に接続されている携帯電話機２０の着信中に着信端末切換ボタン１７が押下されると、携帯電話機２０と固定電話機３０との接続を切断し、携帯電話機２０による通話を可能とするように制御する。従って、ユーザは、携帯電話機２０でオフフック操作をすることもでき（着信端末切換ボタン１７の押下時）、固定電話機３０でオフフック操作をすることもできる（着信端末切換ボタン１７の非押下時）ようになる。その結果、ユーザの利便性を高めることが可能となる。
【００２４】
上記実施形態においては、携帯電話機２０におけるオフフック操作の可否及び固定電話機３０におけるオフフック操作の可否を切り換える機能を接続装置１０に持たせたが、この機能を携帯電話機２０に持たせることもできる。続いて、この機能を有する携帯電話機（本発明の実施形態にかかる携帯電話機）について図面を参照して説明する。
【００２５】
まず、本実施形態にかかる携帯電話機の構成について説明する。図４は、本実施形態にかかる携帯電話機並びにこれに接続される接続装置及び固定電話機の外観図である。本実施形態にかかる携帯電話機４０およびこれに接続される固定電話機３０の外観は、それぞれ、図４に示すように、既に図１を用いて説明した携帯電話機１０および固定電話機３０と同様である。ここで、携帯電話機４０にそなえられた複数のテンキーのうちいずれかが着信端末切換ボタン４２としてキーアサインされている。また、携帯電話機４０に接続される接続装置５０の外観は、図４に示すように、着信端末切換ボタン１７を有しない点を除き、既に図１を用いて説明した接続装置１０と同様である。さらに、携帯電話機４０と接続装置５０と固定電話機１０との接続関係も、既に図１を用いて説明した携帯電話機２０と接続装置１０と固定電話機１０との接続関係と同様である。
【００２６】
図５は、本実施形態にかかる携帯電話機４０のシステム構成図である。携帯電話機４０は、接続装置５０に接続されている。ここで、接続装置５０は、携帯電話機４０と固定電話機３０との間に接続され、携帯電話機４０への着信を固定電話機３０に行わせるとともに携帯電話機４０からの発信を固定電話機３０から行わせる機能を有する。携帯電話機４０は、着信端末切換ボタン４２（入力手段）と、制御部４４（制御手段）と、送受信部４６とを備えて構成される。以下、各構成要素について詳細に説明する。
【００２７】
通信端末切換ボタン４２は、着信端末切換信号の入力を受け付ける。より具体的には、通信端末切換ボタン４２は、物理的には、テンキー（押しボタン）として構成されており、当該押しボタンが押下されることにより、着信端末切換信号の入力が受け付けられる。
【００２８】
制御部４４は、携帯電話機４０が接続装置５０に接続された状態における携帯電話機４０の着信中に、通信端末切換ボタン４２によって着信端末切換信号の入力が受け付けられると、送受信部４６に制御信号を出力し、携帯電話機４０と接続装置５０との接続を切断することによって携帯電話機４０による通話を可能とするように送受信部４６を制御する。
【００２９】
送受信部４６は、制御部４４から出力される上記制御信号を受信していないときは、携帯電話機４０によって受信された着信通知信号、音声信号などを接続装置５０を介して固定電話機３０に対して出力するとともに、固定電話機３０から接続装置５０を介して送信されるオフフック信号、音声信号、オンフック信号などを受信する。一方、送受信部４６は、携帯電話機４０への着信中に制御部４４から上記制御信号を受信したときは、固定電話機３０に対する着信通知信号、音声信号などの送信、及び固定電話機３０からのオフフック信号、音声信号、オンフック信号などの受信を停止する。
【００３０】
接続装置５０は、携帯電話機４０と固定電話機３０とを物理的に接続するとともに、携帯電話機４０と固定電話機３０との間でやりとりされる信号を（必要に応じてプロトコル変換等を行い）仲介する。
【００３１】
続いて、本実施形態にかかる携帯電話機の動作について説明する。図６は、本実施形態にかかる携帯電話機の動作を示すフローチャートである。携帯電話機４０が接続装置５０に接続されている状態で、携帯電話機４０によって着信通知信号が受信されると（Ｓ４２）、当該着信通知信号は、携帯電話機４０から接続装置５０に対して送信され（Ｓ４４）、さらに、接続装置５０から固定電話機３０に対して送信される。
【００３２】
携帯電話機４０による着信中に、携帯電話機４０の着信端末切換ボタン４２が押下されるまでは、固定電話機３０の着信音が鳴動するとともに、固定電話機３０でオフフックすることが可能となる。一方、この場合、携帯電話機４０の着信音は鳴動せず、携帯電話機４０でオフフックすることは不可能となる。
【００３３】
ここで、携帯電話機４０の着信端末切換ボタン４２が押下される（Ｓ４６）と、携帯電話機４０と接続装置５０との接続が切断される。その結果、携帯電話機４０から接続装置５０に対する着信通知信号の送信も停止される（Ｓ４８）。接続装置５０に対する着信通知信号の送信が停止されると、それ以降、携帯電話機４０の着信音が鳴動するとともに、携帯電話機４０でオフフックすることが可能となる。一方、この場合、固定電話機３０の着信音は鳴動せず、固定電話機３０でオフフックすることは不可能となる。
【００３４】
続いて、本実施形態にかかる携帯電話機の作用及び効果について説明する。本実施形態にかかる携帯電話機４０は、着信中に着信端末切換ボタン４２の押下によって着信端末切換信号の入力が受け付けられると、接続装置５０を介した固定電話機３０との接続を切断し、携帯電話機４０による通話を可能とするように制御する。従って、ユーザは、携帯電話機４０でオフフック操作をすることもでき（着信端末切換ボタン４２の押下時）、固定電話機３０でオフフック操作をすることもできる（着信端末切換ボタン４２の非押下時）ようになる。その結果、ユーザの利便性を高めることが可能となる。
【図面の簡単な説明】
【００３５】
【図１】図１は、接続装置並びにこれに接続される固定電話機及び携帯電話機の外観図である。
【図２】図２は、接続装置のシステム構成図である。
【図３】図３は、本実施形態にかかる接続装置の動作を示すフローチャートである。
【図４】図４は、携帯電話機並びにこれに接続される接続装置及び固定電話機の外観図である。
【図５】図５は、携帯電話機のシステム構成図である。
【図６】図６は、携帯電話機の動作を示すフローチャートである。
【符号の説明】
【００３６】
１０…接続装置、１１…プラスチックケース、１２，１３…ケーブル、１４…コネクタ、１５…凹部、１６…ホルダ、１７…着信端末切換ボタン、１８…制御部、１９…中継部、２０…携帯電話機、３０…固定電話機、４０…携帯電話機、４２…着信端末切換ボタン、４４…制御部、４６…中継部、５０…接続装置
【図１】
2006094182.tif 000003
【図２】
2006094182.tif 000004
【図３】
2006094182.tif 000005
【図４】
2006094182.tif 000006
【図５】
2006094182.tif 000007
【図６】
2006094182.tif 000008